(57)【特許請求の範囲】
【請求項１】
飲料入りテーパカップの持ち運びに適用されるカップホルダーであって、上記テーパカップの重量に耐え得る程度の強度を有する扁平形状のホルダー本体を具備し、該ホルダー本体には、上記テーパカップを吊り下げ状態下に嵌合係止するための複数個の保持孔と、上記ホルダー本体を手提げするための少なくとも１つの半環状の主提げ手部と、該主提げ手部から分岐した状態で該主提げ手部と上記ホルダー本体とを連結する中間の補助提げ手部とを備え、主提げ手部及び補助提げ手部は、上記ホルダー本体から切り目に従い切り出されていることを特徴とするカップホルダー。
【請求項２】
ホルダー本体に保持孔が仕切部を介し２個形成され、主提げ手部の両端部は、保持孔のそれぞれの中心を共通して通る第１直線上又はその近傍位置でホルダー本体の両端部に連成し、補助提げ手部は一端側が主提げ手部に他端側が上記第１直線上又はその近傍位置でホルダー本体の仕切部にそれぞれ連成していることを特徴とする請求項１記載のカップホルダー。
【請求項３】
前記ホルダー本体を２組備え、該２組のホルダー本体が線対称状に連成されていることを特徴とする請求項２記載のカップホルダー。
【請求項４】
前記ホルダー本体の各組を切離線に従い分離できる構成になっていることを特徴とする請求項３記載のカップホルダー。
【発明の詳細な説明】
【０００１】
【発明の属する技術分野】
本発明はカップホルダー、詳しくはビール,ジュース類等のような飲料の入った簡易テーパカップの持ち運びに適用される主として使い捨てタイプのカップホルダーに関する。
【０００２】
【従来の技術】
最近、野球場,サッカー場,遊園地,高速道路のパーキング内,駅構内等で店頭販売されるビール、ジュース類等の飲料水は、紙又はプラスチック製で一般ゴミとして投棄焼却等できる使い捨てタイプのいわゆる簡易型テーパカップ（底部側の径が小さくなるように形成されたカップ状容器）に入れて販売される傾向にある。このような販売形態をとることにより、空き缶,空き瓶等の不法投棄ひいては不法投棄による周囲環境の汚染を防止することができる。
【０００３】
【発明が解決しようとする課題】
ところが、テーパカップ入り飲料では、簡易ふたが施されている場合であっても、片手で１個しか持つことができず、例えば２個持つと両手がふさがるために車両のドアーの開閉ができなくなったり、或いは飲料に加え弁当類、パン類、スナック菓子類等の他の食べ物を合わせて購入したときは、これらの持ち運びに困惑する等、顧客側にとっては甚だ不便である。
【０００４】
この場合、一度に複数個を持ち運びできるカップホルダーを販売店側で準備しておき、必要時に顧客に例えば無料提供するようにすれば、顧客側の不便さを解消できるが、実用化のためには、少なくとも次の条件をクリアすることが必要になる。
イ  安価であること。無料提供するためには、製造コストをできるだけ安く抑える必要がある。
ロ  扁平状態での重ね置きが可能なこと。保存,保管に場所をとる形状のものは好ましくない。
ハ  組立の容易性。店頭で必要時に手早く組み立て、顧客に提供する必要がある。
【０００５】
従来、缶入り,瓶入り等の飲料容器の複数個を持ち運びできる容器ホルダーとして既に各種の構成のものが提供されているが、従来構成のものは、比較的コスト高であったり、積み重ねができなっかたり、或いは組立に手間取る等のために、上記用途への転用は実用上困難である。
【０００６】
本発明は、安価でありまたシート状の状態で多数枚を積み重ね出来、しかも用時には、手早く組み立てることができるカップホルダーを提供することを目的としてなされたものである。
【０００７】
【課題を解決するための手段】
本発明は、飲料入りテーパカップの持ち運びに適用されるカップホルダーであって、上記テーパカップの重量に耐え得る程度の強度を有する扁平形状のホルダー本体を具備し、該ホルダー本体には、上記テーパカップを吊り下げ状態下に嵌合係止するための複数個の保持孔と、上記ホルダー本体を手提げするための少なくとも１つの半環状の主提げ手部と、該主手提げ部から分岐した状態で該主提げ手部と上記ホルダー本体とを連結する中間の補助提げ手部とを備え、主提げ手部及び補助提げ手部は、上記ホルダー本体から切り目に従い切り出されていることを特徴とするカップホルダーに係る。
【０００８】
本発明の好ましい一実施形態によれば、ホルダー本体に保持孔が仕切部を介し２個形成され、主提げ手部の両端部は、保持孔のそれぞれの中心を共通して通る第１直線上又はその近傍位置でホルダー本体の両端部に連成し、補助提げ手部は一端側が主提げ手部に他端側が上記第１直線上又はその近傍位置でホルダー本体の仕切部にそれぞれ連成している。
【０００９】
本発明によれば、２個手提げタイプのカップホルダー（ホルダー本体）の２組を、好ましくは切離線を介し線対称状に連成することにより、４個手提げ型タイプのカップホルダーとすることができる。
【００１０】
【発明の実施の形態】
以下に本発明の一実施形態を添付図面に基づき説明する。図１乃至図４は２個手提げ用の本発明カップホルダーの一実施形態を示している。図１は組立使用前の状態にある本発明カップホルダーの平面形状を示し、該カップホルダーはシート材料から構成された扁平形状のホルダー本体１を備えている。
【００１１】
ホルダー本体１を構成するシート材料は、飲料入りテーパカップａ（図２,３参照）の重量に耐え得る程度の強度を有していることが必要であり、通常は剛性,材料コスト,シート成形の容易性,耐水性等を考慮し、熱可塑性プラスチック、例えば硬質乃至半硬質のポリエチレン,ポリプロピレン、ポリエステル等から成形されたシート材料が使用されるが、例えば耐水加工の施された紙質シート,その他、紙とプラスチック又はプラスチック同士の複合シート等を使用できる。ポリエチレン,ポリプロピレン等の汎用プラスチックからなる硬質乃至半硬質の単シート材料は安価で且つ耐水性があり、しかも薄肉厚（例えば０.１乃至０.５mm程度）のもので充分に飲料入りカップの重量に耐え得る程度の強度を有し、好適である。ホルダー本体１の表裏面には、任意の文字,図柄等を印刷したり或いは印刷紙（図示せず）を貼着するなどして装飾を施すことができる。
【００１２】
ホルダー本体１は、例えば平面ほぼ長円形状を呈し、２個の保持孔２が長径方向に並ぶように仕切部３を介し形成されている。保持孔２は飲料入りテーパカップａを、図３に示すように、吊り下げ状態下に嵌合係止させるためのものであり、例えばテーパカップａの上端部の胴径に対応する内径（直径）を持っている。その他、テーパカップａが上端部に外方突出の鍔部ｂを有している場合には、該鍔部ｂに係止可能な寸法に設定してもよいが、テーパカップａの上端に簡易蓋９を施す場合には、図２のように胴部の上端部に嵌合係止させることが好ましい。
【００１３】
上記ホルダー本体１には、半環状の主提げ手部４と該主提げ手部４から分岐する中間の補助提げ手部５とが切り目６に従い切り出された状態で形成されている。
【００１４】
主提げ手部４の両端部４ａ,４ａは保持孔２,２の中心を通る第１直線Ｌ１上又はその近傍位置でホルダー本体１の両端部に連成している。両端部４ａ,４ａには折り曲げ案内用の罫線７を形成しておくことができる。
【００１５】
また補助提げ手部５は一端側が主提げ手部４の中間部、好ましくは中点又はその付近に連成され、他端側は上記第１直線Ｌ１上又はその近傍位置でホルダー本体１の仕切部３に連成している。吊り提げ荷重に対する対策として、切り目６の端部に横方向への曲げ延長部６ａを形成しておくことができる。
【００１６】
上記構成の本発明カップホルダーは、シート材料を図１に示す平面形状に例えばプレス等を適用して打ち抜き、更に所定部位に切り目６を入れることにより製造でき、製造が極めて容易である。しかもシート材料の打ち抜きによって製造できるので、原資の消費量も少なくて済む。よって製品の製造コストを極力低く抑えることが可能になり、安価に提供できる。
【００１７】
上記構成のカップホルダーは、図１に示すように、組立使用前は単なる一枚のシートであり、その肉厚は、例えばプラスチックシートの場合は、０.１乃至０.５mm程度の薄肉厚で充分であり、多数枚を嵩張り偏重なしに積み重ねることができ、店頭の狭い場所を利用して多数枚を準備しておくことができる。
【００１８】
用時には、主提げ手部４を図２に示すように上方へ折り曲げ起立させると、これに追従して補助提げ手部５もまた起立するので、組立をワンタッチ的な操作で迅速確実に行うことができる。
【００１９】
組立後は、図２に示すように、主提げ手部４の中間部位を把持した状態で、保持孔２,２内にそれぞれ飲料入りテーパカップａを下端側からその内部に挿入すると、図３に示すように、テーパカップａの胴部の上端寄りの部分がテーパに基づきいずれ保持孔２内に嵌合係止し、安定で確実な吊り下げ状態が得られる。胴部の嵌合係止箇所は、胴部上端の鍔部ｂであってもよいが、簡易蓋９を施す場合には、図示のように胴部の上端寄り、例えば全高の７分目から９分目程度の位置が適当である。
【００２０】
主提げ手部４を把持し、２個のテーパカップａ,ａを吊り提げた状態では、図２に示すように、２個の飲料入りテーパカップａ,ａの重量は、該カップａ,ａの両サイドに位置する主提げ手部４の両端部と中間に位置する補助提げ手部５との３個所で支えられるので、あたかも一個ずつを両端２カ所で吊り提げているような状態となり、重量バランスのよい吊り提げ状態がえられる。
【００２１】
またテーパカップａの１つを取り外すと、重量バランスは多少崩れるが、この場合には、図４に示すように、主提げ手部４に対する把持位置を残っているテーパカップａ側に多少ずらすことにより再び重量バランスのよい吊り提げ状態が得られる。従ってテーパカップａを一個ずつ取り外す場合には、主提げ手部４に対する把持位置を少しずらすだけで、１個ずつの取り外しを簡単容易に行うことができる。
【００２２】
また、図４に示すように、主提げ手部４に対する把持位置を適宜選択することにより、１個のテーパカップａの手提げ用にも適用可能である。
【００２３】
図５乃至図７は、４個手提げ用の本発明カップホルダーの一実施形態を示し、図５に示すように、先に述べた２個手提げ用のカップホルダー（ホルダー本体１）の２組が、第２直線Ｌ２を基準に線対称状に連成されている。カップホルダーの第１直線Ｌ１と上記第２直線Ｌ２は平行関係にあり、第１直線Ｌ１の外側に、主提げ手部４及び補助提げ手部５がそれぞれ位置している。第２直線Ｌ２上に切離線８を形成しておけば、適宜、２個手提げ用の２つのカップホルダーに分離できるので便利である。
【００２４】
４個手提げ用もまた２個手提げ用と同様にシート材料をプレス等により図５に示す形状に打ち抜き更に切り目６を入れることにより製造でき、安価に提供できることに加え、組立使用前はシート状であるので、嵩張り偏重なしに多数枚を安定確実に積み重ねできる。
【００２５】
手提げ使用時の状況が図６に示され、主提げ手部４,４は起立状態のもとに第２直線Ｌ２の上方位置で、合掌状にほぼ突き合わせられている。このような主提げ手部４,４の合掌状突き合わせを可能とするために、主提げ手部４,４及び補助吊り提げ部５,５の第１直線からの距離Ｄ（図５参照）は、２個手提げタイプに比べ多少長大とされている。これは２個手提げタイプでは主提げ手部４は第１直線Ｌ１の上方に位置し、図３に示すように、ほぼ垂直起立の使用状態となるが、４個手提げ用では、主提げ手部４,４は第２直線Ｌ２の上方に位置し、図７に示すように、傾斜起立の使用状態となるためである。
【００２６】
４個手提げタイプにおいても、吊り提げ使用時においては、基本的には、飲料入りテーパカップａの重量は、一個ずつ個別に両側２カ所において、主提げ手部４と補助提げ手部５との間で支えられることになるので、重量バランスのよい吊り提げ状態が得られる。
【００２７】
図６に示す状態より、１個の飲料入りテーパカップａを取り外すと、重量バランスは多少崩れるが、この崩れは、主提げ手部４,４に対する把持位置を重量バランスがよくなる方向に少し移行させることによりほぼ解消することができる。従って、４個手提げ用は主提げ手部４,４に対する把持位置を多少工夫することにより３個手提げ用として兼用できる。
【００２８】
また、図７に示す如く前記図１に示した保持孔２よりも若干小さく形成された保持孔２の周囲に放射状の切込１０を形成しても良い、係る場合には、多少直径の異なるホルダーであっても保持孔２の周縁部でホルダーをガタ付くことなく、確実に保持することができる。
【００２９】
【発明の効果】
このように、本発明によれば、安価でありまたシート状の状態で多数枚を嵩張り偏重の恐れなしに積み重ねでき、しかも使用時にはワンタッチ的な操作で簡単容易に組み立てることができるカップホルダーを提供できる。
【図面の簡単な説明】
【図１】本発明の２個手提げタイプの一実施形態を示す組立使用前の平面図である。
【図２】同、組立使用時の状況を示す斜視図である。
【図３】同、側面図である。
【図４】図２の状態から飲料入りテーパカップの一個を取り外した状況を示す斜視図である。
【図５】本発明の４個手提げタイプの一実施形態を示す組立使用前の平面図である。
【図６】同、組立使用時の状況を示す斜視図である。
【図７】同、側面図である。
【図８】同、平面図である。
【符号の説明】
１            ホルダー本体
２            保持孔
３            仕切部
４            主提げ手部
５            補助提げ手部
６            切り目
７            罫線
８            切離線
【図１】
0004421024.tif 000002
【図２】
0004421024.tif 000003
【図３】
0004421024.tif 000004
【図４】
0004421024.tif 000005
【図５】
0004421024.tif 000006
【図６】
0004421024.tif 000007
【図７】
0004421024.tif 000008
【図８】
0004421024.tif 000009